Podtech/llm-jp-corpus-v4-ja_patent huggingface dataset:
(57)【要約】      （修正有）【課題】立方体の炭素からダイヤモンド１カラットを製造する方法を提供する。【解決手段】黒鉛の立方体０．３ｇを空気圧中で一気に２０００度１０分で加熱すると、ダイヤモンド１カラットになる。【選択図】なし【特許請求の範囲】
【請求項１】
黒鉛の立方体（図面参照）０．３ｇを空気圧中で一気に２０００度１０分で加熱すると、ダイヤモンド１カラットになる。
【発明の詳細な説明】
【技術分野】
【０００１】遷移化学
【背景技術】
【０００２】
【特許文献１】
【特許文献２】
【非特許文献１】
【非特許文献２】
【発明の開示】
【発明が解決しようとする課題】
【・・・・】
【課題を解決するための手段】
【・・・・】
2009298682.tif 000002
【手続補正書】
【提出日】平成20年8月15日(2008.8.15)
【手続補正１】
【補正対象書類名】明細書
【補正対象項目名】全文
【補正方法】変更
【補正の内容】
【発明の詳細な説明】
【技術分野】
【０００１】遷移化学
【図面の簡単な説明】
【０００３】
【図】  ・  ・  ・
【図面の簡単な説明】図は上から見たものと側面から見たものである
上方の４角を面取りした立方体である
面取りは１辺の４分の１程度とする
立方体は面取りした状態で黒鉛の０．３グラムとする
立方体を一気に２２００度にして１０分で焼成する
１４４面カットで１カラットのダイヤモンドが出来る
(57)【要約】【課題】  従来のケース入り卓上カレンダー（２カ月を表示させるタイプ）においては、表示の組み合わせは「１月と２月」「３月と４月」「５月と６月」「７月と８月」「９月と１０月」「１１月と１２月」に限られ、「２月と３月」「４月と５月」「６月と７月」「８月と９月」「１０月と１１月」の組み合わせは表示させることができない。そのため、２月、４月、６月、８月、１０月において次月を見たいときには、ケースから用紙を取り出す手間が必要となる。【解決手段】  １枚の用紙の表裏に１２ヵ月分を印刷し、各月の間に折り筋を付け、折り方によって、連続する全ての２ヵ月の組み合わせを表示できるようにする。【選択図】図２
2009298131.tif 000002
【特許請求の範囲】
【請求項１】
１枚の用紙の表裏に１２ヵ月分を印刷し、各月の間に折り筋を付け、折り方によって、連続する全ての２ヵ月の組み合わせを表示できるケース入り卓上カレンダー。
【発明の詳細な説明】
【技術分野】
【０００１】  本発明は、ケース入り卓上カレンダー用紙の形状に関する。
【背景技術】
【０００２】  従来のケース入り卓上カレンダー（２カ月を表示させるタイプ）では、表示の組み合わせが「１月と２月」「３月と４月」「５月と６月」「７月と８月」「９月と１０月」「１１月と１２月」の６組に限られている。
【発明の開示】
【発明が解決しようとする課題】
【０００３】  上に述べた従来のケース入り卓上カレンダーでは、「２月と３月」「４月と５月」「６月と７月」「８月と９月」「１０月と１１月」の組み合わせが表示できないため、２月、４月、６月、８月、１０月において次月を見たいときには、ケースから用紙を取り出す手間が必要となる。【０００４】  そこで、本発明では、連続する全ての２カ月の組み合わせを表示させることを課題とする。
【課題を解決するための手段】
【０００５】  本発明は、１枚の用紙の表裏に１２ヵ月分を印刷し、各月の間に折り筋を付け、折り方によって、連続する全ての２ヵ月の組み合わせを表示できるようにしたものである。
【発明の効果】
【０００６】  本発明によれば、連続する全ての２カ月の組み合わせを表示させることができる。これにより、例えば、まだ先月のことが気になる月の初旬には先月と今月を、来月のことが気になりだす月の中旬以降は今月と来月を、年間を通して表示させることができる。
【発明を実施するための最良の形態】
【０００７】  以下、本発明の実施形態を図１〜図３に基づいて説明する。【０００８】  図１においては、折り方によって、連続する全ての２ヵ月の組み合わせを表示できるような各月のレイアウトが示されている。【０００９】  図２においては、連続する全ての２カ月の組み合わせの具体的な折り方の例が示されている。【００１０】  図３においては、折り畳んだカレンダー用紙をケースにセットした図が示されている。
【図面の簡単な説明】
【００１１】
【図１】  カレンダー用紙のレイアウトを示す図である。
【図２】  カレンダー用紙の折り方を示す図である。
【図３】  カレンダー用紙をケースにセットした図である。
【図１】
2009298131.tif 000003
【図２】
2009298131.tif 000004
【図３】
2009298131.tif 000005
(57)【要約】      （修正有）【課題】ホワイトボード用イレーサーを使用した際にイレーサーの拭き取り面に付着するマーカーダストを落とす用具は従来なかった。それを効果的に行い、拭き取り効果をおとさないようにする。【解決手段】張られたワイヤーの上をイレーサーの拭き取り面を走らせることにより、拭き取り面に付着したマーカーダストを下のボックスに払い落とす。【選択図】図３
2009298130.tif 000002
【特許請求の範囲】
【請求項１】
ホワイトボード用イレーサーの払拭表面に付着したマーカーダストを落とすクリーナー。
【発明の詳細な説明】
【技術分野】
【０００１】  本発明はホワイトボードのイレーサー面に付着するマーカーダストを払い落とすイレーサークリーナーに関するものである。
【背景技術】
【０００２】  従来のイレーサーには払拭により付着したマーカーダストを落とす適切な用具はなく、汚れがひどくなれば洗うか払拭部を丸ごと交換するしかなかった。
【発明の開示】
【発明が解決しようとする課題】
【０００３】  先に特許出願した合成ゴムなど弾力性のある板のエッジを利用するホワイトボード用イレーサー（特願２００８−１１９２４８）ではマーカーダストは払拭エッジに糸状または棒状に付着する。本発明はこのマーカーダストを除くためになされたものである。
【課題を解決するための手段】
【０００４】  ボックスの向かい合う上辺に斜めに平行に張られた数本のワイヤーにイレーサーの払拭面を走らせ、ワイヤーで払拭面のマーカーダストを下のボックス内に払い落とすことによってイレーサーの払拭面の汚れを落とし、拭き取り効果を改善する。
【発明の効果】
【０００５】  斜めに張られたワイヤー等の上を払拭面が押しつけられながら動き、付着したダストが払い落とされ、下のボックス内に落ちるので、ホワイトボードのトレーや周辺が汚れず、落としたダストはまとめて捨てられる。
【発明を実施するための最良の形態】
【０００６】  適当な大きさのボックス（１）の１対の長辺に斜めに１センチ幅の間隔で数本のワイヤー（図１）または  傾けた薄板（図２）を張った構造にする。【０００７】  ワイヤーは変形のない材質で、錆びないものを弛まないように張る。【０００８】  ホワイトボードのトレーの縁に取り付けられるような形態にする。
【図面の簡単な説明】
【０００９】
【図１】  本発明の斜視図  形態例１
【図２】  本発明の斜視図  形態例２
【図３】  本発明の斜視図（イレーサーのクリーニング使用図）
【符号の説明】
【００１０】  １  ボックス
２  ワイヤーまたは薄板
３  取り付けフック
【図１】
2009298130.tif 000003
【図２】
2009298130.tif 000004
【図３】
2009298130.tif 000005
(57)【要約】【課題】  身体計測時に行う体部周囲計測に於いて、帯状計測具を被検者背部に通過させるには困難と時間を伴う、本発明はこのような不都合を解決しようとするものである。【解決手段】  体部周囲計測用の帯状計測具を伸ばした状態で、予め計測位置に待機出来る構造とすることで、この課題を解決する。【選択図】図１
2009045399.tif 000002
【特許請求の範囲】
【請求項１】
伸ばした状態の帯状計測具を、ゴムやバネの力で支持具に収納出来る構造で、計測時に帯状計測具が支持具から被検者側へ移動し、被検者の体部周囲に密着する構造の体部周囲計測具。
【請求項２】
身長計や身長体重計などに着脱出来、上下動可能な体部周囲計測具。
【発明の詳細な説明】
【技術分野】
【０００１】  本発明は、身体計測に於ける体部周囲計測を迅速に行えるようにした、体部周囲計測具である。
【背景技術】
【０００２】  従来の体部周囲計測は、帯状計測具を、手動で被検者の体部周囲を一周させて、その長さを記録していた。又、自動計測計では、計測目盛が連続した帯状計測具を直接、被検者の体部周囲に密着する方式ではなかった。
【発明の開示】
【発明が解決しようとする課題】
【０００３】  成人病対策が叫ばれる昨今、腹囲計測などを行う受診者の増加に対し、従来の手動方式では計測効率が悪く、さらに、帯状計測具を、体部周囲値の大きい被検者の背部を通過させる事は、困難を伴うものである。又、自動計測計は装置が大型で移動健診などには不向きである。本発明はこの様な課題を解決しようとするものである。
【課題を解決するための手段】
【０００４】  この課題を解決するための請求項１の発明は、体部周囲計測用の帯状計測具を半円状に伸ばした状態で、予め待機出来る構造のため、従来、計測の度行っていた被検者背部への帯状計測具の通過作業が省略出来、又、計測時には帯状計測具が被検者側の体部周囲に移動し密着するため、迅速で正確な体部周囲の計測が可能となるものである。【０００５】  請求項２の発明は、体部周囲計測が身長計測や身長体重計測と同時に行われる事が一般的である為、身長計や身長体重計に体部周囲計測具を上下動可能な構造にして取り付ける事で、効率の良い健診を可能とするものである。
【発明の効果】
【０００６】  本発明により、どの様な被検者に対しても、容易に迅速な体部周囲計測が可能となり、さらに身長計や身長体重計などに取り付けて使用する事で、健診業務全体の効率を上げることが出来る。又、電気機械を使用していない為、器具が小型軽量となり、移動健診などにも使用できる。
【発明を実施するための最良の形態】
【０００７】  図１は本発明の体部周囲計測具を身長体重計１０に取り付けた立体図である。体部周囲計測具を滑車の付いた吊り具７を利用して、ワイヤー８と重り９で吊るす事で、上下動する構造となっている。被検者は身長体重計１０に取り付けた体部周囲計測具の左右支持具の間に立つことで、体部周囲の計測を身長体重計測と同時に行うことが出来る。【０００８】  図２は体部周囲計測具を上から見た図である。計測具基部１は支持具３、ゴム２などを支える構造物である。帯状計測具４は接続具５を用いてゴム２と結合させ、その両端を支持具３の先端から充分引き出しておく。このように帯状計測具４はゴム２により支持具３に収納される。尚、ゴム２の代わりにバネなどを使用してもよい。【０００９】  図３は体部周囲計測具の正面図である。帯状計測具４は接続具５を使い片側数ヶ所、ゴム２と結合させておく。【００１０】  図４は体部周囲計測時の体部周囲計測具と人体断面図６との関係を示した略図である。計測者が計測を行う手順は、被検者に支持具３の間に立ってもらい、帯状計測具４の両端を持って、これを引きだすようにして被検者の体部周囲に密着させ、その合わせ目を読む。このように帯状計測具４が体部周囲に密着出来るのは、計測者が帯状計測具４の両端を引っ張る力でゴム２が伸びて、支持具３から帯状計測具４が引き出されるためである。
【産業上の利用可能性】
【００１１】  本発明による体部周囲計測具は、従来の方法に比べ迅速で正確な計測が可能となるため、健診事業者などの業務効率の向上に寄与できるものである。
【図面の簡単な説明】
【００１２】
【図１】  体部周囲計測具を、吊り具を用いワイヤーと重りで身長体重計に取り付けた立体図である。
【図２】  体部周囲計測具を上から見た図である。
【図３】  体部周囲計測具の正面図である。
【図４】  体部周囲計測具を用いた人体計測時の略図である。
【符号の説明】
【００１３】  １    計測具基部
２    ゴム
３    支持具
４    帯状計測具
５    接続具
６    人体断面図
７    吊り具
８    ワイヤー
９    重り
１０    身長体重計
【図１】
2009045399.tif 000003
【図２】
2009045399.tif 000004
【図３】
2009045399.tif 000005
【図４】
2009045399.tif 000006
(57)【要約】      （修正有）【課題】手動腹部マッサージ、指圧器を提供する。【解決手段】現在マッサージ、指圧は足の先から頭まで他人の手を煩わさなくても、機械できるようになり、非常に便利になりました。しかし人間の身体で腹部だけは、人間の手でしなければなりません、人によっては疲れたり、緊張したりすると、神経質になり、気分も悪くなります。腹部指圧器で自身の手で力加減しながら、回したり押したりすると気分も良くなり、血液の循環もよくなりなります。  又局部を指圧するには、指圧器を立てて、手の平と同じような軟らかいゴム状のところで指圧します。【選択図】図１
2009045400.tif 000002
【特許請求の範囲】
【発明の詳細な説明】
【０１】各部の明細
図においては、図１、Ａの部分は１００〜１２０φの筒型で腹部に乗せる
Ｂの部分は３０〜３４φで両手で握り、Ａの部分をローラーのように回しながら押さえる、図２のＣの部分は７０〜８０ｍ／ｍの平型のところに厚さ１０ｍ／ｍの手の甲と同じ軟らかさのゴムを貼り付け指圧と同じ効果をもたらす。
【０２】Ａの部分の使用の仕方
使用においては▲１▼仰向けになる、▲２▼本体をゆっくり腹部に乗せる、▲３▼図のＢの部分を両手で握る、▲４▼強く握り締めないでローラーを回すように水平に自分の呼吸に合わせて、ゆっくり押したり引いたりして回す。
【０３】Ｃの部分は局部を押さえる
局部を指圧する場合は、本体を立て、図Ｃの部分を下にして両手で持ち自分の押さえたい所にもっていき、ゆっくりと押さえる。
【０４】発明の効果
腹部マッサージ、指圧は他人に委ねなければ出来ませんでしたがこの発明により、自分一人で、出来る様になり、健康管理が少しでも前進することができた。
▲１▼気分がスッキリし食事がおいしい
▲２▼排便がスムーズになる
▲３▼冷え病も血液の流れが良くなるので、効果がある
▲４▼特に女性の方で、人によっては顔色が悪い女性の方も、血液の流れがよくなるので、効果がある。
▲５▼疲れて神経が、ぴりぴりしている時、押せば神経が落ち着きます。
【図１】
2009045400.tif 000003
【図２】
2009045400.tif 000004
【手続補正書】
【提出日】平成19年10月10日(2007.10.10)
【手続補正２】
【補正対象書類名】特許請求の範囲
【補正対象項目名】全文
【補正方法】変更
【補正の内容】
【特許請求の範囲】
【請求項１】
従来、マッサージ、指圧、は人間の身体の健康にとってなくてはならないものであり又これからも続けていかなければならないものです。
現在腹部を除き、頭の先から、足の先まで機械で自動マッサージができて楽に身体をほぐす事が出来るようになりましたが、腹部は他人の手に頼らざるを得なかった
本発明は腹部のマッサージ、指圧、と２つの機能を一つに兼備えた器具である
本発明の特徴は他人に、ゆだねていた、腹部マッサージ、指圧を本人一人でこの器具を使用し腹部の健康管理ができるようになった。
【手続補正３】
【補正対象書類名】明細書
【補正対象項目名】全文
【補正方法】変更
【補正の内容】
【発明の詳細な説明】
【発明の分野】
【０００１】本発明は、一般家庭で腹部のマッサージ、指圧を本人が一人で、実現する事を目的とするものである。
【背景技術】
【０００２】人間は、家庭、職場、地域社会等で心身を削るおもいで一生懸命に働いています。
人間は神経を使いストレスが蓄積されると、内臓に大きく負担がかかり、腸は硬直してしまいます。（例えば腕や身体を過度に使うと肩が凝って、気分も悪くなる、又もみほぐせば血流がよくなり楽になる。）これと同じように内臓を無理なく、自分の押したいところを、自分のペースでゆっくりマッサージ、指圧することによって血流がよくなり気分もほぐれて、元気になっていきます。
【図面の簡単な説明】
【０００３】
【図１】ｂ部両方を両手で握り、あお向けになり、本体を腹部にのせます。ｂ部を両手で、押したり、引いたりすると、ａ部分の本体が回転します。
【図２】身体はそのまま、仰向けの状態で、本体Ｃ部分を腹部に立てます。手の持ち方は上のｂ部分の平い部分に、両手の指をあてて、しっかりと持ち、Ｃ部分を腹部に押します。
【符号の説明】
【０００４】１．  図１  ａは回転してマッサージの効果を出すところ
２．  図１  ｂは手で握るところ
３．  図２  Ｃは手の平と同じ大きさで、腹部全体を局部指圧して効果を出すところ
４．  図２  Ｅは本体を立てて両手で握るところ
５．  図３  Ａ−Ａ′は本体の断面図で寸法を表す
６．  図４  Ｂ−Ｂ′は手で握るところと本体の断面図と寸法を表す
(57)【要約】【課題】ゴルフクラブアイアンは、使用に際し芝面でダブる或いはトップしやすいが、安定したスイングを期待するゴルファーに、ソール面をローラー化して利用するアイアンを提供する。【解決手段】ゴルフクラブアイアンヘッドのソール部分（３）を、ローラーが取り付けられるようにカッティングして、その部分に見合う重量を確保したローラー（４）を組込んだゴルフクラブアイアンを特徴とする。【選択図】図１
2009045398.tif 000002
【特許請求の範囲】
【請求項１】
ゴルフクラブアイアンのソール面に、ローラーを埋め込み設置して使用することを特徴とするゴルフクラブアイアン。
【発明の詳細な説明】
【技術分野】
【０００１】  本発明は、ゴルフクラブアイアンヘッドのソール部に、ローラーを埋め込み設置したローラーアイアンに関するものである。
【背景技術】
【０００２】  従来、アイアンはソール幅が狭くて、スイング時にコースの芝面に食い込む比率が高くなり、初級者が使用するには熟練が要求されていた。
【発明の開示】
【発明が解決しようとする課題】
【０００３】  解決しようとする問題点は、従来のアイアンはスイング動作時にヘッド部のフェイスがゴルフボールにインパクトする時、直接コース芝面に接地するソール部分の幅が狭いことから、コース地面に食い込むことにより強い抵抗を受け、スイングを振り抜けずボールが飛ばない等、良好な結果を得られないことが多かった。
本発明は、以上のような欠点をなくす為になされたものである。
【課題を解決するための手段】
【０００４】  本発明は、ゴルフクラブアイアンのスイング動作の時、ゴルフコース芝面に接触するアイアンソール面を、回転ローラーで代替設置して輪転化を図ることを最も主要な特徴とする。
【発明の効果】
【０００５】  本発明のアイアンは、スイング時のゴルフコース芝面にソール面が接地と同時にローラー部分が受止め回転するので、地面への食込み抑制と摩擦負荷が軽減されるので、振抜きが良くスイングが安定するという利点がある。
【発明を実施するための最良の形態】
【０００６】  アイアンは良好なスイングを期待されるよう低重心とバランスを考慮して製作されていて、ソール部分（３）となる底部分は金属が肉厚となり各番手アイアンに共通している。その肉厚金属部分にローラー（４）と取付け芯棒（５）を設置すべく部分をカット及び穴あけして、カットに見合う質量に値するローラーを装着する。
本発明は、以上のような構造である。
これを使用するときは、これまでどおりのスイングをすれば、たとえばダブリになるとしてもローラー効果が得られることは、技術的にも精神面にも効果が得られて安定したスイングができる。
【図面の簡単な説明】
【０００７】
【図１】  本発明の斜視図である。
【図２】  本発明の正面図である。
【図３】  本発明の側面図である。
【図４】  本発明の底面図である。
【符号の説明】
【０００８】  １、シャフト部
２、フェイス部
３、ソール部
４、ローラー部
５、ローラー取付芯棒
【図１】
2009045398.tif 000003
【図２】
2009045398.tif 000004
【図３】
2009045398.tif 000005
【図４】
2009045398.tif 000006
(57)【要約】      （修正有）【課題】走行中の振動やカーブでの遠心力などで身体が大きく揺れたり、姿勢が崩れてシートベルトが有効に効かない状態になってしまうという問題を解決するためのシートバッククッションを提供する。【解決手段】ヘッドレスト７に引掛けた左右１対のクッション１により身体を支えられる様にする。また、クッション１のずれや浮き上がりはずれ防止ベロ４により防止する。【選択図】図３
2009045192.tif 000002
【特許請求の範囲】
【請求項１】
車のシートバックに使用するクッションにおいて、左右で１対となるクッションを、適選空間を設けて、上下でベルトやずれ防止ベロ等でつなげたことを特徴とするクッション
【請求項２】
表、裏どちらも外観側に使うことが出来る請求項1に記載のクッション
【発明の詳細な説明】
【技術分野】
【０００１】
本発明は、車に装着するシートバッククッションに関するものである。
【背景技術】
【０００２】
現在、ミニバンと云われる車が好調な売れ行きをしているが、これらの車種はシートアレンジが豊富で、休息用にフルフラットシートとなる車があるがその為、セカンドシート、サードシートなどは凹凸の少ない形状となっており、カーブでの遠心力や路面状況により車体が揺れた時など、身体が左右に大きく揺られて過度に踏ん張って緊張を強いたり、車酔いの原因になる。また、子供などは疲れて寝てしまうことがあるが姿勢が崩れてしまい横になったり、シートベルトが首に掛かったりすることが在り、シートベルトが有効に効かない状態になってしまうことがある。
【０００３】
この改善策として、横ずれ防止装置をヘッドレストシャフトに通すものがある。
【特許文献１】特開２００６−２４７３５０
【発明の開示】
【発明が解決しようとする課題】
【０００４】
この従来の横ずれ防止装置は、頭部のみを支える構造となっている。
【０００５】
また、ヘッドレストシャフトに通す構造の為、ヘッドレストを外さないと取り付け取り外しが出来ない。
【課題を解決するための手段】
【０００６】
上記課題を解決する為に、本発明のシートバッククッションは、１対のクッションを上下で適選間隔を空けて連結し、ヘッドレストに引掛けて使用することを特徴とする。
【発明の効果】
【０００７】
この発明によれば、シートバッククッションにより腰から上半身までを支えてくれる為、車の横揺れに対し身体が安定しリラックスできる。
【０００８】
また、休息時にフルフラット状態にする時、挟んでいたずれ防止ベロを引き出し、ヘッドレストから外せば、簡単に取り外すことが出来る。
【０００９】
シートバック部分に空間が在る為圧迫感が少なく、また、車のシート生地が見える為、内装の雰囲気を損なわない。
【発明を実施するための最良の形態】
【００１０】
間隔を開けて右クッションと左クッションを連結する。
上側の連結部分はヘットレストに引掛けて脱落及び左右の倒れを防止する働きをして、
下側の連結部分はシートバックとシートクッションの間に挟み込み後方に垂らすことで、乗降時のずれや浮き上がりを防止する。
【実施例１】
【００１１】
図１に本発明の一例を示す。左クッション１と右クッション２をシートバック空間５を設けて配置する。その上方部分をヘッドレストベルト３で連結する。下方は、ずれ防止ベロにより連結する。
【００１２】
この左クッション１、右クッション２の中には綿等のクッション材が適選の固さで詰め込まれていて、乗員の身体を支える役目をする。
ヘッドレストベルト３は、ヘッドレスト７の後方側から前方に引掛けてクッション１，２の脱落及び左右の倒れを防止する働きをする。
ずれ防止ベロ４は、適選な長さと厚みをもちシートバック６とシートクッション８の間に挟み込み後方にたらして、左クッション１、右クッション２のずれや浮き上がりを防止する働きをする。
シートバック空間５を設けることで、前後方向のかさばりを抑え、シートバック生地を見せることで内装の雰囲気を損なうことを防ぐ効果がある。
【００１３】
図１に示すシートバッククッションは、一例であり限定的に解釈すべきものでないことはいうまでもない。
たとえば図１では円柱形状の左クッション１、右クッション２の形状が略三角柱形状でも良く、また、左クッション１と右クッション２の形状に変化を加えて乗降性の向上を図っても良い。
また、ずれ防止ベロ４に凸部を設け抜け難くしても良い。
【００１４】
図２に本発明の斜視図を示す。
円柱形状の左クッション１、右クッション２の上下をヘッドレストベルト３とずれ防止ベロ４で連結している。
【００１５】
図３に使用例の側面図を示す。
ヘッドレストベルト３をヘッドレスト７に引掛けて、ずれ防止ベロ４をシートバック６とシートクッション８の間より後方に垂らした状態である。
【００１６】
図４に使用例の斜視図を示す。
ヘッドレスト７の前方左右に左クッション１、右クッション２が設置され、乗員（図示せず）はシートバック空間５に身体を入れることで左右を支えられ、カーブ等で大きく揺られることがなくなり快適に過ごすことが出来る。
【図面の簡単な説明】
【００１７】
【図１】本発明のシートバッククッションの一例を示す正面図。
【図２】本発明のシートバッククッションの一例を示す斜視図。
【図３】本発明の使用例の側面図。
【図４】本発明の使用例の斜視図。
【図５】従来例の正面図。
【符号の説明】
【００１８】
１  左クッション
２  右クッション
３  ヘッドレストベルト
４  ずれ防止ベロ
５  シートバック空間
６  シートバック
７  ヘッドレスト
８  シートクッション
【図１】
2009045192.tif 000003
【図２】
2009045192.tif 000004
【図３】
2009045192.tif 000005
【図４】
2009045192.tif 000006
【図５】
2009045192.tif 000007
(57)【要約】 【課題】本発明は高圧流体を使用する流体噴出器具から放出するスプレーノズルに関する。【解決手段】入口２を形成の本体１内で回転可能に導水管９ａ、９ｂを取付け、この導水管９ａ、９ｂに取付けのフレキシブルチューブ１０の先端部にスプレーノズル１５を取り付ける。【選択図】図１
2009045599.tif 000002
【特許請求の範囲】
【請求項１】
入口を形成の本体内に、複数のベアリングを介して回転可能な垂直管を取付け、この垂直管に導水管を結合し、前記入口からの流体を垂直管、導水管を経てスプレーノズルから噴出する流体噴出器具であって、
前記スプレーノズルを前記導水管に取付けのフレキシブルチューブの先端部に取り付けることを特徴とする流体噴出器具。
【請求項２】
前記導水管の端部にフレキシブルチューブを取付け、このフレキシブルチューブの端部にスプレーノズルを取り付けることを特徴とする請求項１の流体噴出器具。
【請求項３】
スプレーノズルの排出口を、フレキシブルチューブの軸芯より偏心した位置に設けることを特徴とする請求項１又は請求項２の流体噴出器具。
【発明の詳細な説明】
【技術分野】
【０００１】
本発明は高圧流体を使用する流体噴出器具に関し、より詳細には流体噴出器具から放出するスプレーノズルに関する。
【背景技術】
【０００２】
従来、流体噴出器具として、例えば、特開２０００−２４６１４９号公報がある。
この公報における流体噴出器具は、本体を中心に、左右に回転可能に突出した導水管の端部にスプレーノズルが付設してある。又、前記スプレーノズルは垂直方向から角度θに傾斜して取り付けてあるので、スプレーノズルからの噴出水によって回転モーメントが生ずる。そのため、スプレーノズルから水を噴出しながら回転する。
【０００３】
【特許文献１】特開２０００−２４６１４９号公報
【発明の開示】
【発明が解決しようとする課題】
【０００４】
前記特開２０００−２４６１４９号公報に開示の流体噴出器具は、供液ノズルからジェット流が噴射するが、その噴出範囲は同じであり、更に、広範囲での噴出可能な流体噴出器具が望まれている。
そこで、本願発明は、かかる広範囲に、容易に噴射できる流体噴出器具を提供するものである。
【課題を解決するための手段】
【０００５】
本発明の請求項１の流体噴出器具は、入口を形成の本体内に複数のベアリングを介して回転可能な垂直管を取付け、この垂直管には導水管が結合してあるので、前記入口からの流体を垂直管、導水管を経てスプレーノズルから噴出する。
そして、スプレーノズルは、導水管に取付けのフレキシブルチューブの先端部に取り付けてあるので、柔軟なフレキシブルチューブによって、スプレーノズルは、本体を中心に回転すると共に、フレキシブルチューブによっても回転しながら、流体を噴出する。
【０００６】
又、本発明の請求項２の流体噴出器具は、導水管の端部にフレキシブルチューブを取付け、このフレキシブルチューブの端部にスプレーノズルを取り付けることによって、導水管に回転モーメントが生じ、スプレーノズルは本体を中心に回転する。
【０００７】
又、請求項３の流体噴出器具は、スプレーノズルの排出口を、フレキシブルチューブの軸芯より偏心した位置に設けてあるので、偏心した反力により、回転モーメントを得ることができる。
【発明の効果】
【０００８】
本願の流体噴出器具は、広範囲にスプレーすることができる。
【発明を実施するための最良の形態】
【０００９】
本発明の流体噴出器具について図面を参照して説明する。図１、２、３は流体噴出器具の正面断面図であり、図４は図３の側面図である。
本体１の頂部には、高圧流体の入口２が形成してある。又、本体１内は、回転可能な垂直管５が複数個のベアリング６ａ、６ｂ、６ｃを介して取りつけてあり、この垂直管５には前記入口２からの高圧流体が流れる。
又、前記垂直管５の下には分流体８が取り付けてあり、この分流体８の左右側には左導水管９ａと右導水管９ｂが取り付けてある。
【００１０】
又、前記左導水管９ａと右導水管９ｂには、複数個の金属製等のフレキシブルチューブ１０が取り付けてある。
このフレキシブルチューブ１０は、導水管９ａ、９ｂの先端部に、導水管９ａ、９ｂと同方向にそれぞれ１個と、左導水管９ａと右導水管９ｂには同じ方向に２個、取り付けてある（図１、図２）。
又、他の例におけるフレキシブルチューブ１０は、導水管９ａ、９ｂの先端部に、導水管９ａ、９ｂと同方向にそれぞれ１個と、左導水管９ａと右導水管９ｂには互いに反対方向に、２個、取り付けてある（図３）。
又、前記フレキシブルチューブ１０の先端部には、スプレーノズル１５が取り付けてあり、このスプレーノズル１５の排出口（図示略）は、フレキシブルチューブ１０の軸芯（口径）より偏心した位置に設けられている。
【００１１】
次に、前記流体噴出器具の作用について説明すると、高圧流体は、高圧ポンプ（図示略）から入口２に供給され、垂直管５を経て、左導水管９ａと右導水管９ｂに導かれる。そして、各フレキシブルチューブ１０を経て、スプレーノズル１５から噴出される。
導水管９ａ、９ｂの先端部に付設のスプレーノズル１５の排出口が、フレキシブルチューブ１０の軸芯から偏心しているので、スプレーノズル１５からの噴出流体により、導水管９ａ、９ｂには本体１を中心に回転モーメントが生じて、導水管９ａ、９ｂは、本体１を中心に回転する。
又、導水管９ａ、９ｂに付設の各スプレーノズル１５は、フレキシブルチューブ１０の柔軟さにより、回転モーメントが生じて、旋回しながら噴出する。
従って、図１に示すように、上方向を向いているスプレーノズル１５は、上側に対して広範囲に噴出する。
【００１２】
又、図２に示すように、下方向を向いているスプレーノズル１５は、下側に対して広範囲に噴出する。
又、図３に示すように、左導水管９ａに付設のフレキシブルチューブ１０（スプレーノズル１５）は上方向に、右導水管９ｂに付設のフレキシブルチューブ１０（スプレーノズル１５）は下方向に噴出し、左導水管９ａと右導水管９ｂは、本体１を中心に回転しながら、且つ、フレキシブルチューブ１０の柔軟性により、スプレーノズル１５は回転しながら且つ旋回しながら、上方向と下方向に噴出する。
【００１３】
以上のように、左導水管９ａと右導水管９ｂにフレキシブルチューブ１０を介してスプレーノズル１５を、噴出方向に取り付けることにより、広範囲にスプレーをすることができる。
【図面の簡単な説明】
【００１４】
【図１】流体噴出器具の正面断面図である。
【図２】他の流体噴出器具の正面断面図である。
【図３】他の流体噴出器具の正面断面図である。
【図４】図３に示す流体噴出器具の側面図である。
【符号の説明】
【００１５】
１  本体
２  入口
５  垂直管
６ａ〜６ｃ  ベアリング
８  分流体
９ａ  左導水管
９ｂ  右導水管
１０  フレキシブルチューブ
１５  スプレーノズル
【図１】
2009045599.tif 000003
【図２】
2009045599.tif 000004
【図３】
2009045599.tif 000005
【図４】
2009045599.tif 000006
(57)【要約】【課題】これまで行われてきたペットのトイレトレーニング方法の問題点として、ペットが糞尿を排泄すると同時にペットを褒められたり、エサを与えたりすることを繰り返し行う必要があることから、トイレトレーニング中は飼い主が四六時中ペットを監視することが必要で、ペットのトイレの躾は困難を極めているのが実情である。そこで、本発明は機械的装置により、ペットの糞尿排泄を感知し、同時にペットに刺激を与えることができるようにすることを課題とする。【解決手段】水分感知センサーまたは水分感知スイッチにより、ペットの糞尿排泄を感知したと同時に、音声、音、光、匂い、餌を規則的に単独または複合に発生させる装置により、ペットの五感に対し反復的に刺激を与える。【選択図】図１
2009045053.tif 000002
【特許請求の範囲】
【請求項１】
ペットのトイレトレーニングに、水分感知センサーまたは水分感知スイッチを使用することを特徴とするペットのトイレトレーニング装置。
【請求項２】
ペットの糞尿排泄を感知すると、音声、音、光、匂い、餌を、単独または複合により機械的に発生させることを特徴とするペットのトイレトレーニング装置。
【発明の詳細な説明】
【技術分野】
【０００１】この発明は、ペットのトイレトレーニングに用いる装置に関する。
【背景技術】
【０００２】従来、ペットの糞尿排泄の躾として用いられてきたトレーニング方法としては、ペット用トイレ、トレー、トイレシーツ等指定の場所に、ペットが糞尿を排泄すると同時に、飼い主がペットを褒める、エサを与える等の刺激を反復的に行う事で、ペットは糞尿排泄を指定の場所で行う習慣が身に付き、糞尿排泄の躾を行うことが、一般的なペットのトイレトレーニング方法である。
【発明の開示】
【発明が解決しようとする課題】
【０００３】このペットのトイレトレーニング方法の問題点として、ペットが指定の場所に糞尿を排泄すると同時に、また反復的に行わないと、ペットはどの行為が褒められたり、エサを与えられるという刺激につながるかを理解しないことから、トイレトレーニング中は飼い主が四六時中ペットを監視することが必要で、ペットのトイレの躾は困難を極めているのが実情である。
そこで、本発明はこの困難を極める行為を機械的な装置により、ペットが糞尿を排泄したことを感知し、同時にペットに刺激を与えることができるようにすることを課題とする。
【課題を解決するための手段】
【０００４】以上の課題を解決するために、第一発明は水分感知センサー、または、水分感知スイッチにより、ペットの糞尿排泄を感知することを特徴とする。
また、第二発明は感知したと同時に、音声、音、光、匂い、餌を、単独または複合により発生させる装置が、ペットの五感に対し、反復的に刺激を与えることを特徴とする装置である。
【発明の効果】
【０００５】第一発明、第二発明により、従来、ペットの飼い主が行ってきた、ペットのトイレトレーニングが、機械的な装置により、規則的にまた反復的に行われることで、飼い主の負担が少なくペットのトイレの躾が向上する。
【発明を実施するための最良の形態】
【０００６】この発明の一実施形態を、図１に示す。
ペット用トイレトレー内に水分感知センサー（スイッチ）を設置し、併設のスピーカーから音声、餌タンクから餌が出る装置が併設されている。
【実施例】
【０００７】この実施形態によれば、ペットがトイレトレーに糞尿を排泄すると、即座に水分感知センサー（スイッチ）が反応し、スピーカーから、例えば飼主の「ＧＯＯＤ！！」という音声と同時に、餌タンクから餌が出る仕組みとなっており、この刺激が規則的に反復されることで、ペットのトイレトレーニングの効果が期待できる。
【図面の簡単な説明】
【０００８】
【図１】この発明の一実施形態を示す斜視図である。
【符号の説明】
【０００９】１．トイレトレー  ２．水分感知センサー（スイッチ）
３．スピーカー    ４．餌タンク
【図１】
2009045053.tif 000003
(57)【要約】      （修正有）【課題】流れの強さ、水の深度によるルアーの浮き上がりを防ぎ、釣果の増加を図る。【解決手段】ルアー顎下、垂直方向にアルミニウム板１を、さらにその板に左右別々の可動式アルミニウム板２，３を取り付け、垂直方向に取り付けられた板によっては安定性を、左右の板によっは、深度調整を図り、多様な流れ、状況下でより自然な魚の泳ぎを演出させる。【選択図】図１
2009045051.tif 000002
【特許請求の範囲】
【請求項１】
ルアー顎下垂直方向にアルミニウムの安定板を有するルアー。
【請求項２】
ルアー顎下垂直板に、水平方向に左右別々に取り付けられた可動式のアルミニウム板を有する請求項１のルアー。
【発明の詳細な説明】
【技術分野】
【０００１】本発明は、魚体に抵抗板を有する魚釣りに使用されるルアーに関するものである。
【背景技術】
【０００２】今までの魚体に抵抗板を有するルアーは、顎下にリップを有し、リップを斜めに顎下に固定することにより、水流の抵抗を利用するか、釣り糸を引くことにより、ルアー本体を沈め水中での動きを得るものであった。【０００３】またこれらのルアーの中には、ひれを可動式にし、流れ深さに応じて胸びれ、腹びれを調節し、水流の利用あるいは釣り糸をひくことにより、水中でルアーを動かすものがあった。
【特許文献】特開２００２−２８１８６７号広報
【発明の開示】
【発明が解決しようとする課題】
【０００４】今までのリップあるいは可動式ひれを用いたルアーは、固定リップあるいは可動びれを使い魚体を水中で揺動させることによって釣果を得ようとするものであり、水流の強さによっては、ルアー本体が浮き上がり、ルアーとしての役割を十分に果せないことがあった。
【課題を解決するための手段】
【０００５】本発明は、ルアー本体の顎下に垂直方向にアルミニウム板を取り付け、そのアルミニウム板の途中に、水平方向に左右別々の可動式アルミニウム板を、ボルトナットで取り付ける。
【発明の効果】
【０００６】顎下に取り付けられた垂直方向と水平方向のアルミニウム板により、強い水流に対してルアー本体の安定性を確保することが可能となる。【０００７】水平方向に個々別々に取り付けられた可動式アルミニウム板の角度を変えることにより、流れの強さに応じて、適切な潜行深度を得られる。
【発明を実施するための最良の形態】
【０００８】ルアー顎下に、垂直方向に一枚のアルミニウム板、その板の水平方向に左右別々に二枚の可動式アルミニウム板をボルトナットで取り付ける。
【実施例１】
【０００９】以下、本発明の実施例を図面に基づいて説明する。図１は、本ルアーを斜め上方より見た全体図である。【００１０】図２は垂直方向に取り付けるアルミニウム板の図である。【００１１】図３は水平方向に取り付けるアルミニウム板の図である。【００１２】図４は水平方向に取り付けられたアルミニウム板の角度を変えた図である。
【産業上の利用可能性】
【００１３】生き餌という管理が極めて面倒なものに代わり、広汎な状況下で、餌釣りの代わりに使用可能である。
【図面の簡単な説明】
【００１５】
【図１】本発明を斜め上方より見た全体図である。
【図２】アルミニウム板を垂直方向に取り付けた図である。
【図３】水平方向に、左右別々にアルミニウム板二枚を取り付けた図である。
【図４】水平方向に取り付けたアルミニウム板の角度を変えた図である。
【図５】水平方向に左右別々に可動式アルミニウム板を取り付けるボルトナットの図である。
【符号の説明】
【００１６】  １  垂直アルミニウム板
２  水平可動アルミニウム板
３  水平可動アルミニウム板
４  ネジ穴
５  ネジ穴
６  ネジ穴
７  止めボルト
８  止めナット
【図１】
2009045051.tif 000003
【図２】
2009045051.tif 000004
【図３】
2009045051.tif 000005
【図４】
2009045051.tif 000006
【図５】
2009045051.tif 000007
(57)【要約】【課題】  従来、有害と思われる小動物、鳥類の追払いの方法として進入防止の固定式のネットを張ったり、空砲による威嚇音等で追払ってきた。しかし固定式のネットは対象動物が慣れてしまうと役に立たなくなり、空砲を撃つのにも、銃保有許可者が行わなければ成らず、適宜、適所で空砲を撃つことはなかなか難しい。又空砲を撃つことが出来ても、対象動物が遠方に居る場合、効果も余り無い。【解決手段】  無線の遠隔操作にて飛行する飛行体に、音波発信機又は、録音再生機を取り付けて、適宜、適所にて、威嚇音、嫌う音波、天敵の鳴声又は、天敵の鳴声の擬似音波を対象動物の近隣で発信する【選択図】図１
2009045054.tif 000002
【特許請求の範囲】
【請求項１】
無線の遠隔操作により飛行する飛行体に、音波発信機又は、録音再生機  及び拡声器を、前期の飛行体の内部又は、外部に取り付けて音波により、対象動物を追払う  動物追払い機
【発明の詳細な説明】
【背景技術】
【０００１】無線の遠隔操作により飛行する、飛行体がある。【０００２】小型の音波発信機がある。【０００３】小型の録音再生機がある。
【発明の開示】
【発明が解決しようとする課題】
【０００４】  従来、有害と思われる小動物、鳥類等を追払う方法は、対象動物の危険性、対象場所の高さ、距離、足場の不安定等の問題で遠距離から空砲を撃って威嚇して追払ったり、ネット等を設置して入り込まない様にしてきた。しかし防鳥ネット等は対象動物が慣れてしまえば役に立たなくなり、河川敷等に設置後放置されたネット等は環境美化の観点からも見苦しいものである。又空砲を撃つにしても銃保有許可者が必要であり、適宜、適所にて行うのはなかなか困難である。
【課題を解決するための手段】
【０００５】  上記の不都合を解決する為に、無線の遠隔操作により飛行する飛行体に、音波発信機又は、録音再生機、及び拡声器を取り付け、適宜、適所にて威嚇音、嫌う音波、天敵の鳴声又は、天敵の鳴声の擬似音波を、対象動物の近隣から発信して、対象動物を追払う、動物追払い機が必要である。
【発明の効果】
【０００６】  場所、時間の制限も無く、火気（爆竹、空砲等）を使用しないので、空砲を撃つ為の銃保有許可者の同伴も必要なく、適宜、適所にて、誰にでも安全に対象動物の追い払いが出来る。
【発明を実施するための最良の形態】
【０００７】  以下  実施の形態を図２に於いて説明する。【０００８】  無線の遠隔操作により飛行する飛行体１に音波発信機取付台のピッチ調整用のスライド用長穴付きベース２を固定する【０００９】  音波発信機取付台３に音波発信機又は、録音再生機４を取り付ける。【００１０】  スライド用長穴付きベース２に上記の音波発信機取付台３を取り付ける。【００１１】  飛行体１に拡声器５を取り付ける。
【図面の簡単な説明】
【００１２】
【図１】音波発信機又は、録音再生機、及び拡声器を内部に取り付けた場合。
【図２】音波発信機又は、録音再生機、及び拡声器を外部に取り付けた場合。
【符号の説明】
【００１３】  １  無線の遠隔操作により飛行する飛行体
２  スライド用長穴付き固定ベース
３  音波発信機取付台
４  音波発信機又は、録音再生機
５  拡声器
【図１】
2009045054.tif 000003
【図２】
2009045054.tif 000004
(57)【要約】【課題】  ペットとして飼われた動物が一度迷子になると、第三者により保護され飼主の元へ戻ってくる確率は非常に低いのが現状である。交通事故や怪我に遭遇したり、野生化して住民に被害を及ぼしたり、最終的には保健所に捕獲されるといったケースの方が多いのが現状なのである。【解決手段】  ペットを購入する際、飼主は取次店で迷子サポートセンターと年間契約を結び、ペットの首輪にＩＤ番号・ペット名・迷子センターフリーダイヤルが刻印されたリングを付ける。動物病院・保健所・警察・動物愛護団体等の協力、インターネット等での宣伝広告によりサポートシステムを世間に浸透させ、リングを付けたペットが迷子になり第三者に保護された状態であれば、サポートセンターの専任スタッフが責任持って飼主の元へ引き渡すことが出来る。【選択図】図１
2009045047.tif 000002
【特許請求の範囲】
【請求項１】
ペットとなった猫・犬が飼主に渡る際、取次店となるペットショップ・ブリーダー・動物病院で迷子サポートセンターと契約をかわし、迷子情報を管理するセンターより年間登録料と引き換えにペットの首輪につけるＩＤ番号・ペット名・迷子センターフリーダイヤルが刻印されたリングと、前記ペット情報と同一情報を刻印したプレートを付けたストラップを飼主に迷子サポートセンターより郵送し、ペットが迷子になり第三者に保護された際、この第三者によってリングに刻印されているペット情報を迷子サポートセンターに通報し、この通報に基づいて迷子サポートセンターが飼主にペットを引き渡す。個人情報を全て迷子サポートセンターが管理してペットを守るシステム。
【発明の詳細な説明】
【技術分野】
【０００１】  本考案は迷子になったペットが第三者の保護により可能な限り飼主の元へ戻ることが出来るシステムである。
【背景技術】
【０００２】  現在、飼猫・飼犬が迷子になった場合の保護手段としては近隣住宅・動物病院・ペットショップに於いての貼り紙依頼による手段が多く、無事に保護され飼主に引き渡される確率は極めて低いのが現状である。また最近ではペットの首輪に飼主への連絡先電話番号・飼主名・ペット名などが記された迷子札をつけているペットも見られるが飼主の個人情報が露出され、情報の保護の面を考慮すると危険である。そして最終的には首輪をつけたペットであっても保健所に捕獲されてゆくケースが多いのである。犬の場合、保健所での里親システムがあるため捕獲された場合も新しい飼主に引き取られていくケースもあるが、猫の場合は一旦捕獲されれば後日処分されてしまうのである。【０００３】  一戸建で飼われる猫の場合、室内外を自由に出入りさせている飼主も多く、発情期を迎えた猫などそのまま自宅を出てテリトリーの外へ行き匂いを辿れずに迷子になるケースも決して少なくない。
【発明の開示】
【発明が解決しようとする課題】
【０００４】  以上に述べた様に保護される確率の低い現状から、可能な限り迷子になったペットが飼主の元へ戻りなおかつ飼主の個人情報が守られる事に着目し、今回のシステムを考案した。【０００５】  ペットが迷子になり保健所に捕獲された際、一目で飼猫・飼犬と認識出来れば、処分されるペットの数も減少する。また、迷子になったペットが怪我や病気等で動物病院に運び込まれた際もサポートセンターを通して飼主に引き渡すことが出来る。
【課題を解決するための手段】
【０００６】  迷子になったペットが高い確率で第三者により保護され飼主に戻るシステムとして迷子サポート情報センターを設け、ペットが飼主に渡る際に迷子サポートセンターと飼主とでサポート契約を結び、後日飼主に郵送となるＩＤ番号・ペット名・迷子サポートセンターフリーダイヤルを刻印したリングを付けた首輪と前記ペット情報と同一情報を刻印したストラップを同時に購入していただき、その代金を初回一年間の迷子サポートシステム登録料金と共にサポートセンターへ振込みしていただく。【０００７】  この解決手段は迷子になったペットを探し出し保護するシステムではなく、あくまでもサポートセンターの発行するリング付き首輪を付けたペットが第三者によって保護され、リングの記載情報を第三者がサポートセンターに連絡し、迷子情報確認後に動くシステムで、センターと飼主とで状況確認・引渡し手段を確認しペットを飼主に引渡す手段である。【０００８】
2009045047.tif 000003
【発明を実施するための最良の形態】
【０００９】    ペット迷子サポートセンターはまずペット購入時飼主に渡る際のサポートシステムを取り次いでもらう為、ペットショップ・動物病院・ブリーダーにシステムの理解を承諾していただき取次店契約を結ぶ。その他宣伝広告手段として、ネット広告・携帯電話による情報発信をする。飼主との契約は契約書を作成し、サポートシステムの規約を充分理解していただいた上での一年間契約となり、以降２年目、３年目と更新料を引き下げながら継続してもらう。【００１０】
2009045047.tif 000004
【００１１】  サポートセンターは全国主要都市に設置し全てフリーダイヤル制にし、オペレーターにより顧客の情報を管理する。動物病院・各保健所・警察・動物愛護団体へのシステムの理解、協力を求め事故や野性化による住民被害の減少に努める。【００１２】  第三者により保護される状況は様々である。ペットの体調状態を把握した上で飼主と引渡し時の相談をし、怪我・病気のドクターチェック（飼主実費）後、サポートセンターの専任スタッフにより飼主に引渡す。その際、ペット移送運賃・手数料は飼主負担とする。
【図面の簡単な説明】
【００１３】
【図１】  刻印された状態のリング（飼主のリングサイズで作成）
【図２】  刻印リングを首輪に取り付けた状態
【図３】  飼主のストラップ
【符号の説明】
【００１４】  ▲１▼  ペットのＩＤ番号
▲２▼  ペット名
▲３▼  迷子サポートセンターフリーダイヤル
▲４▼  ペットの種類（Ｄ→犬・Ｃ→猫）
【図１】
2009045047.tif 000005
【図２】
2009045047.tif 000006
【図３】
2009045047.tif 000007
(57)【要約】      （修正有）【課題】モータなど原動機を使用せずに肥料、農薬を確実に散布する方法を提供する。【解決手段】回転を農耕作業車輌の車輪軸芯から回転を取り出し任意の場所に容器を設置し容器の中央縦方向に軸を構成して軸を回転させる事によって散布剤を軸の周りから確実に落下させることが出来る。【選択図】図１
2009045049.tif 000002
【特許請求の範囲】
【請求項１】
農耕用作業車輌の車輪軸の芯から任意の場所まで回転を伝動して容器内の中央縦方向に軸を中心にして上下させて流量調整ができて軸を回転させる事によって散布剤は軸の周りから送り出して落下させることを特徴とした肥料、農薬散布機
【請求項２】
請求項１の構造で回転を太陽電気で回転させる散布機
【発明の詳細な説明】
【技術分野】
【０００１】本発明は農耕地で農耕用作業車輌の車輪の回転を利用して肥料、農薬を散布する
【背景技術】
【０００２】散布する構造が縦軸の周りから落下させる構造であるため散布する抵抗が少ない。従来はモーターを使用して強制的に排出構造になっている
【特許文献１】特開  ２００５−３１２３５１
【発明の開示】
【発明が解決しようとする課題】
【０００３】前記従来技術における散布機の動力はトラックターの発電によるモーターで回転をさせるために故障した時に作業が出来なくなり作業終了時に水洗いが出来ない問題があつた
【発明が解決しようとする手段】
【０００４】作業車輌の車輪軸芯から動力を取り出して任意の場所まで回転を伝動させ散布機を回転させる
【発明の効果】
【０００５】車輪が回転する事により確実に散布出来るので作業工程に支障が無く電気的な故障の心配が無い
【発明を実施するための最良の形態】
【０００６】以下本発明の実施形態を図面に基づいて説明する図１は流量調整と攪拌排出部の断面図、図２は車輪軸から駆動を伝動させる  図３は散布機を作業車輌に設置した【０００７】図３にトラックターの作業位置に設置した散布機、図はキビ植付け時における薬剤散布の要領である【０００８】図２は散布機の下部から車輪軸の中心に伝動シヤフト２０で構成して回転を伝動させる【０００９】図１容器内１に流量調整フレーム２と円形ドラム３が構成されハンドル５は回転可能なネジ構造である、よって回す事でフレーム固定ナット６とボルト、ナツト構造のため円形ドラム３を上下させることが出来る【００１０】流量調整フレーム２は止めナツト７で容器１と固定フレーム８を締め付けてありハンドル５を左に回すと円形ドラム３が上昇シュート管９の周りに散布剤４が寄ってくる【００１１】シュート管９の中心を縦軸１０に攪拌ペラ１１を構成しベアリング１２を上部軸ナット１３下部軸ナット１４で締め付けて固定フレーム８に組み込み固定して回転可能な構造になっている【００１２】吊りボルト１５ａ吊りボルト１５ｂは吊りナット１６ａ固定するベアリングユニット１７を吊りナット１６ｂで上下固定して伝動の回転を安定させる構造になっている【００１３】中間ジョイント１８により回転の芯ずれを吸収しベアリンク１２を保護している、なお縦軸１０と中間ジョイント１８はシャフトピン穴２８、ビンで固定する同じく攪拌ペラ止めビン穴２９もピンで止めて一体ものにする【００１４】伝動シャフト２０は保護カバー１９で保護され散布機の中間ジョイント１８に差込んでロツクピン２１で連結されるので回転が伝わる【００１５】回転の基はトラックター車輪の後輪２２軸の芯を中心に軸受けフレーム２３を取り付ボルトナツト２４で固定し芯には伝動シャフト２０が差し込めてロックボルト２５で固定する事によって回転が取り出せる構造【００１６】トラツクター後輪２２と散布機を伝動シャフト２０で連結になりトラックター後輪２２が回転すると伝動シャフト２０で回転が伝動され円形ドラム３の内側にある散布剤４が攪拌ペラ１１に接触してシュート管９より排出される【００１７】シュート管９の先端にはホース２６を取り付けることで任意の場所に散布できる
【図面の簡単な説明】
【００１８】
【図１】流量調整と攪拌排出部の断面図
【図２】車輪と伝動シヤフト
【図３】散布機を作業車輌に設置した図
【符号の説明】
【００１９】１    容器
２    流量調整フレーム
３    円形ドラム
４    散布剤
５    ハンドル
６    フレーム固定ナット
７    止めナット
８    シヤシー
９    シュート管
１０  縦軸
１１  攪拌ペラ
１２  ベアリング
１３  上部軸ナット
１４  下部軸ナット
１５ａ  吊りボルト
１５ｂ  吊りボルト
１６ａ  吊りナット
１６ｂ  吊りナット
１７  ベアリングユニット
１８  中間ジョイント
１９  保護カバー
２０  伝動シヤフト
２１  ロックピン
２２  車輪
２３  陣受けフレーム
２４  取り付けボルトナツト
２５  ロックボルト
２６  ホース
２７  シヤフト止めピン
２８  シヤフト中間ビン穴
２９  攪拌ペラ止めピン
【図１】
2009045049.tif 000003
【図２】
2009045049.tif 000004
【図３】
2009045049.tif 000005